(57)【要約】      （修正有）【課題】容器から取り外した後にも比較的長期にわたって利用者が手元に保持したくなる首掛けラベルを提供する。【解決手段】首掛けラベル１は、容器Ｐの首部Ｐ２に着脱自在な薄片である。首掛けラベル１は、切替式表示部３と、取付け部５とを備えている。切替式表示部３は、情報を表示する複数の表示面を有しており、複数の表示面のうちいずれかの表示面が現れる前面と、前面とは反対側の後面とを有し、前面に現れる表示面を開閉操作によって切り替え可能である。取付け部５は、切替式表示部３に接続されており、首部Ｐ２に掛けられる掛け部５ａを有している。【選択図】図１
0003235206.tif 000002
【実用新案登録請求の範囲】
【請求項１】
容器の首部に着脱自在な首掛けラベルであって、
情報を表示する複数の表示面を有しており、前記複数の表示面のうちいずれかの表示面が現れる前面と、前記前面とは反対側の後面とを有し、前記前面に現れる前記表示面を開閉操作によって切り替え可能な切替式表示部と、
前記切替式表示部に接続されており、前記容器の前記首部に掛けられる掛け部を有する取付け部と、
を備えた、首掛けラベル。
【請求項２】
前記切替式表示部と前記取付け部とは切り離し可能に接続されている、
請求項１に記載の首掛けラベル。
【請求項３】
前記切替式表示部と前記取付け部との境界にはミシン目が形成されている、
請求項２に記載の首掛けラベル。
【請求項４】
前記複数の表示面は、第１表示面と、前記第１表示面とは共通する面を有さない第２表示面とを含む、
請求項１〜３のいずれかに記載の首掛けラベル。
【請求項５】
前記複数の表示面は、互いに共通する面を有さない３以上の表示面を含む、
請求項１〜３のいずれかに記載の首掛けラベル。
【考案の詳細な説明】
【技術分野】
【０００１】
本考案は、首掛けラベルに関し、特に、ビンやボトル等の容器の首部などに吊り下げられるものに関する。
【背景技術】
【０００２】
従来、ビンやボトル等の容器の首部には、商品に関する商品情報（広告、宣伝情報）が印刷表示された首掛けラベルが取り付けられることがある。具体的には、首掛けラベルは、シート状のラベルに容器の首部の直径に略等しい差し込み孔を有しており、その差し込み孔を容器の首部に引っ掛けることで容器に吊下げられる。
【０００３】
また、従来の首掛けラベルには、ラベルを二つ折りや三つ折りなど適宜に折り畳んで、端部を開封可能に封止シールしたコンパクトな形態となるものがある（例えば、特許文献１を参照）。このような展開式首掛けラベルでは、ラベル面に、比較的多くの商品情報を印刷表示できる。
【先行技術文献】
【特許文献】
【０００４】
【特許文献１】特開２０００−３９８４３号公報
【考案の概要】
【考案が解決しようとする課題】
【０００５】
従来の展開式首掛けラベルは、容器装着時にはコンパクトでありながら、取り外し後に展開することで多くの商品情報を利用者に提供できるという利点がある。しかし、利用者にとっては、展開式首掛けラベルであっても、それを取り外した後にはそれを一度確認すれば十分であり長期に保管するメリットがないので、購買後に利用者へのアピールを持続する効果を期待できない。
【０００６】
本開示の課題は、容器から取り外した後にも比較的長期にわたって利用者が手元に保持したくなる首掛けラベルを提供することにある。
【課題を解決するための手段】
【０００７】
本開示の一態様に係る首掛けラベルは、容器の首部に着脱自在である。
【０００８】
首掛けラベルは、切替式表示部と、取付け部とを備えている。
【０００９】
切替式表示部は、情報を表示する複数の表示面を有しており、複数の表示面のうちいずれかの表示面が現れる前面と、前面とは反対側の後面とを有し、前面に現れる表示面を開閉操作によって切り替え可能である。
【００１０】
取付け部は、切替式表示部に接続されており、容器の首部に掛けられる掛け部を有している。
【図面の簡単な説明】
【００１１】
【図１】図１は、容器に装着された首掛けラベルを示す斜視図である。
【図２】図２Ａは、首掛けラベル製作用紙の表面を示す展開図である。図２Ｂは、首掛けラベル製作用紙の裏面を示す展開図である。
【図３】図３Ａは、首掛けラベルの第１面を示す正面図である。図３Ｂは、首掛けラベルの第２面を示す正面図である。図３Ｃは、首掛けラベルの第３面を示す正面図である。図３Ｄは、首掛けラベルの第４面を示す正面図である。
【図４】図４Ａは、切替式表示部を第１面から第２面に切り替える動作を示す斜視図である。図４Ｂは、切替式表示部を第２面から第３面に切り替える動作を示す斜視図である。図４Ｃは、切替式表示部を第３面から第４面に切り替える動作を示す斜視図である。
【図５】図５Ａは、首掛けラベルの変形例を示す正面図である。図５Ｂは、首掛けラベルの変形例を示す正面図である。図５Ｃは、首掛けラベルの変形例を示す正面図である。図５Ｄは、首掛けラベルの変形例を示す正面図である。
【考案を実施するための形態】
【００１２】
１．第１実施形態
（１）概略説明
図１を用いて、本開示に係る首掛けラベル１を説明する。図１は、容器Ｐに装着された首掛けラベル１を示す斜視図である。容器Ｐは、ペットボトルであり、容器本体Ｐ１と首部Ｐ２とを有しており、さらにキャップＣを有している。
【００１３】
首掛けラベル１は、容器Ｐの首部Ｐ２に取り外し自在に装着される薄片である。
【００１４】
首掛けラベル１は、切替式表示部３と、取付け部５とを有している。
【００１５】
切替式表示部３は、前面に現れる表示面を開閉操作によって切り替え可能である。より具体的には、切替式表示部３は、複数の薄片が組み合わされて構成され、さらに一又は複数の薄片が折り目に沿って閉じたり開かれたりすることで、薄片の位置や薄片同士の位置関係を変更でき、その結果、前面に現れる表示面を切り替える（新たな表示面が形成され、先の表示面の一部又は全部が表示されなくなる）ことが可能な構造を有している。開閉操作の一例は後述する。
【００１６】
取付け部５は、切替式表示部３に接続されている。取付け部５は、容器Ｐの首部Ｐ２を通すことができる掛け部５ａを有する。
【００１７】
具体的には、取付け部５は概ね円形であり、掛け部５ａは円形の開口である。また、取付け部５は、接続部７を介して、切替式表示部３に切り離し可能に接続されている。接続部７は直線状のミシン目である。なお、掛け部は切り欠き状であってもよい。
【００１８】
本開示に係る首掛けラベル１では、利用者は首掛けラベル１を容器Ｐから外した後に、開閉操作によって切替式表示部３の複数の表示面を切り替えることで、各種情報を入手できる。このように表示面つまり記載された情報が切り替わることで、利用者は、その変化によって意外性や娯楽性を楽しむことができ、そのため容器Ｐから取り外した後にも比較的長期にわたって首掛けラベル１を手元に保持したくなる。この結果、首掛けラベル１は、購買後に利用者へのアピールを比較的長期に維持できる。
【００１９】
（２）詳細説明
首掛けラベル１のラベル材は、例えば厚さは８０μｍ〜１５０μｍである。首掛けラベル１のラベル材の材料は、通常の印刷用紙、不織布、プラスチックフィルム、アルミニウム箔、又はそれらの複合材である。
【００２０】
切替式表示部３の複数の表示面には、ビンやボトル等の容器Ｐに包装された飲料等の内容物など各種の商品に関する商品情報や、広告、宣伝、キャンペーン情報が印刷表示されている。また、複数の表示面には、キャラクター、絵画、漫画、物語等の情報が印刷表示されていてもよい。
【００２１】
（３）製造方法
図２Ａ及び図２Ｂを用いて、首掛けラベル製作用紙を説明する。
【００２２】
図２Ａ及び図２Ｂに示すように、最初に、厚紙又は可撓性の印刷可能な基材からなる一枚のシート１００が用意される。シート１００の表面には、シート１００から切り出される首掛けラベル予定部分５０が設けられている。図２Ａには、首掛けラベル予定部分５０の表面５０Ａが示されており、図２Ｂには、首掛けラベル予定部分５０の裏面５１Ａが示されている。首掛けラベル予定部分５０の表面５０Ａにおいて切替式表示部３に対応する箇所には、第１情報面５０Ｂ（後述する第１面３１及び第４面３４を構成する複数の面を含んでいる）が印刷されている。首掛けラベル予定部分５０の裏面５１Ａにおいて切替式表示部３に対応する箇所には、第２情報面５１Ｂ（後述する第２面３２及び第３面３３を構成する面を含んでいる）が印刷されている。第１情報面５０Ｂ及び第２情報面５１Ｂには、Ｈ字形状の切れ目４１及び複数の折り目４３（図２Ａのみに表示）が形成されている。なお、折り目４３は、それに沿って両側の部分が両側に回動できるようにするための構造である。また、第２情報面５１Ｂには、縦線Ａ１を間に介して左右に対称に並んでいる一対ののり部分が第２情報面５１Ｂの左側の上下部分に形成されており、さらに、縦線Ａ２を間に介して左右に対称に並んでいる一対ののり部分が第２情報面５１Ｂの左側の上下部分に形成されている。
【００２３】
なお、図２Ａ及び図２Ｂにおいて、「第１面」、「第４面Ａ」などと記載されているのは組立て後の図３Ａ〜図３Ｄとの間で各部分の対応を明示するためのものであり、実際に印刷されているわけではない。
【００２４】
また、取付け部５を構成する部分は、第１情報面５１Ａでは「第１面」と表記された部分の幅方向中間部所上縁から、第２情報面５１Ｂでは「第３面Ａ」と表記された部分の上縁から延びている。
【００２５】
次に、シート１００から、首掛けラベル予定部分５０を切り出す。
【００２６】
次に、首掛けラベル予定部分裏面５１Ａの縦線Ａ１、Ａ２を谷折りにして次にのり部分同士を貼り合わせる。また、複数の折り目４３が折り曲げ可能となるように折り曲げられる。この結果、切替え表示部３が得られる。
【００２７】
上記のように１枚のシート１００から切り出した首掛けラベル予定部分５０を適宜折り曲げて次にのり付けするだけで、切替式表示部３を含む首掛けラベル１が得られる。
【００２８】
（４）使用方法
利用者は、首掛けラベル１付きの容器Ｐを購入した後に、首掛けラベル１を容器Ｐから外して、次に取付け部５を切替式表示部３から切り離す。
【００２９】
図３Ａ〜図３Ｄを用いて、切替式表示部３を説明する。なお、各図において表示されている面が向く側を「切替式表示部３の前側」として、その反対側を「切替式表示部３の後側」として、説明する。すなわち、各図において切替式表示部３の前面が示されており、後面が反対側にある。さらに、各図の上側を「切替式表示部３の上側」として、各図の下側を「切替式表示部３の下側」として説明する。
【００３０】
首掛けラベル１の切替式表示部３は、前面に現れる表示面を第１面３１、第２面３２、第３面３３、第４面３４の間で切り替えることができる。
【００３１】
なお、図３Ａ〜図３Ｄにおいて、「第１面」、「第４面Ａ」などと記載されている文字は組立て前の図２Ａ〜図２Ｂとの間で各部分同士の対応を明示するためのものであり、実際に印刷されているわけではない。実際には、第１面３１、第２面３２、第３面３３、第４面３４には、各面においてそれぞれ一まとまりの情報として成立する文字、絵、図柄等が印刷されている。
【００３２】
図３Ａに示すように、第１面３１は、正方形であり、横長上側面３１Ａと横長下側面３１Ｂとから構成されている。横長上側面３１Ａと横長下側面３１Ｂは左右方向に長い矩形状であり、横長上側面３１Ａは横長下側面３１Ｂの上側に隣接して配置されている。横長上側面３１Ａと横長下側面３１Ｂの間には、切れ目２１がある。
【００３３】
図４Ａに示すように、利用者が、図３Ａの第１面３１の状態から横長上側面３１Ａを構成する紙片と横長下側面３１Ｂを構成する薄片をそれぞれ上下反対側に開いてさらに反転させると、図３Ｂの第２面３２が示される。第２面３２は、正方形である。
【００３４】
図４Ｂに示すように、利用者が、図３Ｂの第２面３２の状態から左右両側部分をそれぞれ左右反対側に開いて反転させると、図３Ｃの第３面３３が得られる。なお、第３面３３は、左右方向に長い長方形状部分のみが第３面３３としての情報を有している。
【００３５】
図４Ｃに示すように、利用者が、図３Ｃの第３面３３の状態から上下両側部分をそれぞれ上下反対側に開いて反転させると、図３Ｄの第４面３４が表示される第４面３４は、正方形であり、縦長左側面３４Ａと縦長右側面３４Ｂとから構成されている。縦長左側面３４Ａと縦長右側面３４Ｂは上下方向に長い矩形状であり、縦長左側面３４Ａは縦長右側面３４Ｂの左側に隣接して配置されている。縦長左側面３４Ａと縦長右側面３４Ｂの間には、切れ目２３がある。
【００３６】
上記のように、第１面３１、第２面３２、第３面３３、第４面の順番で連続して表示面を変更できる。ただし、表示切替の順番は特に限定されない。
【００３７】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００３８】
（１）接続部の変形例
切替式表示部３と取付け部５との接続部は互いに切り離し不能であってもよい。
【００３９】
接続部７はミシン目以外で互いに切り離し可能になっていてもよい。例えば、折り目等の脆弱構造や切れ目によって切り離し可能でもよい。
【００４０】
（２）切替式表示部の変形例
切替式表示部３の構造及び実現可能な表示面のパターンは前記実施形態に限定されない。切替式表示部は、連続して何度でも開くことができるエンドレスカードでもよい。
【００４１】
切替式表示部は正面視において正方形や四角形でなくてもよい。例えば、図５Ａに示す変形例では、切替式表示部３Ａの左右反対側に開閉可能な薄片は、上下に長く延びて上端及び下端が山形状である。
【００４２】
（３）取付け部の変形例
掛け部５ａの開口の形状は、円形に限定されず、楕円形や多角形形状であってもよい。
【００４３】
掛け部５ａの内周縁には、容器Ｐの首部Ｐ２に掛けやすくなるように、様々な形状が設けられていてもよい。図５Ｂに示す変形例では、取付け部５Ａの掛け部５ａの内周縁には内方に向かう複数の突起部５Ａ１が設けられている。図５Ｃに示す変形例では、取付け部５Ｂの掛け部５ａの内周縁には、複数の切込部５ａ２が形成されている。
【００４４】
取付け部５の形状は特に限定されない。図５Ｄに示す変形例では、取付け部５Ｃは切替式表示部３と同じ幅を有している。
【００４５】
３．態様
上記実施形態及び変形例から明らかなように、本開示は、下記の態様を含む。以下では、実施形態との対応関係を明示するためだけに、符号を括弧付きで付している。
【００４６】
第１の態様の首掛けラベル（１）は、容器（Ｐ）の首部（Ｐ２）に着脱自在である。前記首掛けラベル（１）は、切替式表示部（３）と、取付け部（５）とを備えている。前記切替式表示部（３）は、情報を表示する複数の表示面（３１〜３４）を有しており、前記複数の表示面のうちいずれかの表示面が現れる前面と、前記前面とは反対側の後面とを有し、前記前面に現れる前記表示面を開閉操作によって切り替え可能である。取付け部（５）は、切替式表示部（３）に接続されており、容器（Ｐ）の首部（Ｐ２）に掛けられる掛け部（５ａ）を有している。
【００４７】
第１の態様によれば、例えば利用者は首掛けラベル（１）を容器（Ｐ）から外した後に、開閉操作によって切替式表示部（３）の複数の表示面（３１〜３４）を切り替えることで、各種情報を入手できる。このように表示面（３１〜３４）つまり記載された情報が切り替わることで、利用者は、その変化によって意外性や娯楽性を楽しむことができ、そのため容器（Ｐ）から取り外した後にも比較的長期にわたって首掛けラベル（１）を手元に保持したくなる。この結果、首掛けラベル（１）は、購買後に利用者へのアピールを比較的長期に維持できる。
【００４８】
第２の態様の首掛けラベル（１）は、第１の態様との組み合わせにより実現され得る。第２の態様では、前記切替式表示部（３）と前記取付け部（５）とは切り離し可能に接続されている。
【００４９】
第２の態様によれば、利用者は切替式表示部（３）を前記取付け部（５）から切り離すのが容易になる。
【００５０】
第３の態様の首掛けラベル（１）は、第２の態様との組み合わせにより実現され得る。第３の態様では、前記切替式表示部（３）と前記取付け部（５）との境界にはミシン目が形成されている。
【００５１】
第３の態様によれば、利用者は切替式表示部（３）を前記取付け部（５）から切り離すのが容易になる。
【００５２】
第４の態様の首掛けラベル（１）は、第１〜第３のいずれかの態様との組み合わせにより実現され得る。第４の態様では、前記複数の表示面（３１〜３４）は、第１表示面（３１）と、前記第１表示面（３１）とは共通する面を有さない第２表示面（３２）とを含む。
【００５３】
第４の態様によれば、利用者は、全く異なる第１表示面（３１）と第２表示面（３２）とを交互に表示できる。
【００５４】
第５の態様の首掛けラベル（１）は、第１〜第３のいずれかの態様との組み合わせにより実現され得る。第５の態様では、前記複数の表示面（３１〜３４）は、互いに共通する面を有さない３以上の表示面を含む。
【００５５】
第５の態様によれば、利用者は、３以上の全く異なる表示面を交互に表示できる。
【符号の説明】
【００５６】
１  首掛けラベル
３  切替式表示部
５  取付け部
５ａ  掛け部
７  接続部
３１  第１面
３２  第２面
３３  第３面
３４  第４面
Ｐ    容器
Ｐ１  本体
Ｐ２  首部
Ｃ    キャップ
【図１】
0003235206.tif 000003
【図２】
0003235206.tif 000004
【図３】
0003235206.tif 000005
【図４】
0003235206.tif 000006
【図５】
0003235206.tif 000007